(57)【特許請求の範囲】
【請求項１】
基地局との無線通信が可能な携帯電話と、ユーザの腕に装着される腕装着型端末とからなり、前記携帯電話に着信があった場合に無線通信により前記携帯電話から前記腕装着型端末へ着信情報を送信し、この着信情報に基づき前記腕装着型端末で着信報知の動作を行うように構成された携帯電話システムにおいて、
前記携帯電話は、
前記基地局との無線通信を行う対基地局無線通信手段と、
前記腕装着型端末と互いに通信リンクが確立された状態で無線通信を行う第１無線通信手段と、
前記対基地局無線通信手段および前記第１無線通信手段による無線信号の送受信を禁止する送受信禁止モードに切り換え可能なモード設定手段と、
このモード設定手段の設定が前記送受信禁止モードに切り換えられる場合に、前記第１無線通信手段の通信を介して前記腕装着型端末へ送受信禁止モード移行情報を送信させ、その後、前記送受信禁止モードに移行させる第１制御手段とを備えており、
前記腕装着型端末は、
前記携帯電話と互いに通信リンクが確立された状態で無線通信を行う第２無線通信手段と、
前記着信報知の動作を行う報知手段と、
前記送受信禁止モード移行情報を受信した場合に、前記第２無線通信手段による前記携帯電話との無線通信の送受信を禁止させる第２制御手段と、
を備えていることを特徴とする携帯電話システム。
【請求項２】
基地局との無線通信が可能な携帯電話と、ユーザの腕に装着される腕装着型端末とからなり、前記携帯電話に着信があった場合に無線通信により前記携帯電話から前記腕装着型端末へ着信情報を送信し、この着信情報に基づき前記腕装着型端末で着信報知の動作を行うように構成された携帯電話システムにおいて、
前記携帯電話は、
前記基地局との無線通信を行う対基地局無線通信手段と、
前記腕装着型端末と互いに通信リンクが確立された状態で無線通信を行う第１無線通信手段と、
前記対基地局無線通信手段により電波制限区域を示す信号が受信された場合に、前記第１無線通信手段の通信を介して前記腕装着型端末へ送受信禁止モード移行情報を送信させ、その後、前記送受信禁止モードに移行させる第１制御手段とを備えており、
前記腕装着型端末は、
前記携帯電話と互いに通信リンクが確立された状態で無線通信を行う第２無線通信手段と、
前記着信報知の動作を行う報知手段と、
前記送受信禁止モード移行情報を受信した場合に、前記第２無線通信手段による前記携帯電話との無線信号の送受信を禁止させる第２制御手段と、
を備えていることを特徴とする携帯電話システム。
【請求項３】
前記第２制御手段は、
前記携帯電話との無線通信の送受信を禁止後に、前記携帯電話以外の通信機器からの通信リンクの確立の為の探索情報が送信された場合に、この探索情報に対する送受信を禁止させることを特徴とする請求項１または２に記載の携帯電話システム。
【請求項４】
前記携帯電話は表示部を備え、
前記第１制御手段は、
前記送受信禁止モード移行情報を送信して前記腕装着型端末の無線信号の送受信を禁止させた場合に、前記表示部に前記腕装着型端末が送受信禁止モードへ移行したことを表示出力させることを特徴とする請求項１〜３の何れか１項に記載の携帯電話システム。
【請求項５】
基地局との無線通信が可能で、前記基地局から着信があった場合に、ユーザの腕に装着される腕装着型端末へ無線通信により着信情報を送信し、着信報知の動作を行わせる携帯電話において、
前記基地局との無線通信を行う対基地局無線通信手段と、
前記腕装着型端末と互いに通信リンクが確立された状態で無線通信を行う無線通信手段と、
前記対基地局無線通信手段および前記無線通信手段の送受信を禁止する送受信禁止モードに切り換え可能なモード設定手段と、
このモード設定手段の設定が前記送受信禁止モードに切り換えられる場合に、前記無線通信手段の通信を介して前記腕装着型端末へ送受信禁止モード移行情報を送信させ、その後、前記送受信禁止モードに移行させる制御手段と、
を備えていることを特徴とする携帯電話。
【発明の詳細な説明】
【技術分野】
【０００１】
この発明は、携帯電話と腕装着型端末とからなる携帯電話システム、および携帯電話に関する。
【背景技術】
【０００２】
従来、携帯電話と、腕時計などの腕装着型端末とを、ブルートゥース（Ｂｌｕｅｔｏｏｔｈ：登録商標）通信などの短距離無線通信によりデータ通信可能なように構成し、携帯電話に通話着信やメール着信があった場合に、この着信情報を携帯電話から腕装着型端末に送信するとともに、腕装着端末を振動させて着信の情報をユーザに知らせるようにしたシステムが開発されている（例えば特許文献１〜３）。
【０００３】
また、このようなシステムでは、腕装着型端末から携帯電話に制御データを送信することで、腕装着型端末の操作によって携帯電話の通話着信を保留応答したり、着信拒否したりする機能も実現化されている。
【０００４】
また、近年の携帯電話では、動作モードの一つとして、電波の送受信を禁止しつつ電波を使用しない携帯電話の付加機能を利用可能とするオフラインモードを備えるものが多い。このようなオフラインモードは、例えば病院、電車の優先席付近、航空機の離着陸時など、電波の使用が制限される区域であっても、電波を出さない状態で携帯電話の付加機能を利用することが出来るので便利である。
【先行技術文献】
【特許文献】
【０００５】
【特許文献１】特開２００１−２０４０８０号公報
【特許文献２】特開２００２−１５２３２７号公報
【特許文献３】特開２００２−３３５５６７号公報
【発明の概要】
【発明が解決しようとする課題】
【０００６】
携帯電話をオフラインモードにした場合、携帯電話と腕装着型端末との間の無線信号の送受信も禁止されるため、腕装着型端末による着信報知機能は利用できなくなる。また、携帯電話をオフラインモードにするような状況では、電波の使用制限区域にあることが想定されるため、腕装着型端末による電波使用も停止させるべきである。
【０００７】
しかしながら、従来のシステムでは、携帯電話をオフラインモードに移行させた場合でも、そのままでは腕装着型端末の無線通信機能は停止されず、ユーザが個別にボタン操作を行って、腕装着型端末の無線通信機能を停止させる必要があった。
【０００８】
この発明の目的は、例えば電波の使用制限区域などで携帯電話の無線信号の送受信を停止させた際に、その都度、腕装着型端末を操作して腕装着型端末の電波使用を停止設定させる必要のない携帯電話システム、腕装着型端末および携帯電話を提供することにある。
【課題を解決するための手段】
【０００９】
上記目的を達成するため、請求項１記載の発明は、
基地局との無線通信が可能な携帯電話と、ユーザの腕に装着される腕装着型端末とからなり、前記携帯電話に着信があった場合に無線通信により前記携帯電話から前記腕装着型端末へ着信情報を送信し、この着信情報に基づき前記腕装着型端末で着信報知の動作を行うように構成された携帯電話システムにおいて、
前記携帯電話は、
前記基地局との無線通信を行う対基地局無線通信手段と、
前記腕装着型端末と互いに通信リンクが確立された状態で無線通信を行う第１無線通信手段と、
前記対基地局無線通信手段および前記第１無線通信手段による無線信号の送受信を禁止する送受信禁止モードに切り換え可能なモード設定手段と、
このモード設定手段の設定が前記送受信禁止モードに切り換えられる場合に、前記第１無線通信手段の通信を介して前記腕装着型端末へ送受信禁止モード移行情報を送信させ、その後、前記送受信禁止モードに移行させる第１制御手段とを備えており、
前記腕装着型端末は、
前記携帯電話と互いに通信リンクが確立された状態で無線通信を行う第２無線通信手段と、
前記着信報知の動作を行う報知手段と、
前記送受信禁止モード移行情報を受信した場合に、前記第２無線通信手段による前記携帯電話との無線通信の送受信を禁止させる第２制御手段と、
を備えていることを特徴としている。
【００１０】
請求項２記載の発明は、
基地局との無線通信が可能な携帯電話と、ユーザの腕に装着される腕装着型端末とからなり、前記携帯電話に着信があった場合に無線通信により前記携帯電話から前記腕装着型端末へ着信情報を送信し、この着信情報に基づき前記腕装着型端末で着信報知の動作を行うように構成された携帯電話システムにおいて、
前記携帯電話は、
前記基地局との無線通信を行う対基地局無線通信手段と、
前記腕装着型端末と互いに通信リンクが確立された状態で無線通信を行う第１無線通信手段と、
前記対基地局無線通信手段により電波制限区域を示す信号が受信された場合に、前記第１無線通信手段の通信を介して前記腕装着型端末へ送受信禁止モード移行情報を送信させ、その後、前記送受信禁止モードに移行させる第１制御手段とを備えており、
前記腕装着型端末は、
前記携帯電話と互いに通信リンクが確立された状態で無線通信を行う第２無線通信手段と、
前記着信報知の動作を行う報知手段と、
前記送受信禁止モード移行情報を受信した場合に、前記第２無線通信手段による前記携帯電話との無線信号の送受信を禁止させる第２制御手段と、
を備えていることを特徴としている。
【００１１】
請求項３記載の発明は、請求項１または２に記載の携帯電話システムにおいて、
前記第２制御手段は、
前記携帯電話との無線通信の送受信を禁止後に、前記携帯電話以外の通信機器からの通信リンクの確立の為の探索情報が送信された場合に、この探索情報に対する送受信を禁止させることを特徴としている。
請求項４記載の発明は、請求項１〜３の何れか１項に記載の携帯電話システムにおいて、
前記携帯電話は表示部を備え、
前記第１制御手段は、
前記送受信禁止モード移行情報を送信して前記腕装着型端末の無線信号の送受信を禁止
させた場合に、前記表示部に前記腕装着型端末が送受信禁止モードへ移行したことを表示
出力させることを特徴としている。
【００１２】
請求項５記載の発明は、
基地局との無線通信が可能で、前記基地局から着信があった場合に、ユーザの腕に装着される腕装着型端末へ無線通信により着信情報を送信し、着信報知の動作を行わせる携帯電話において、
前記基地局との無線通信を行う対基地局無線通信手段と、
前記腕装着型端末と互いに通信リンクが確立された状態で無線通信を行う無線通信手段と、
前記対基地局無線通信手段および前記無線通信手段の送受信を禁止する送受信禁止モードに切り換え可能なモード設定手段と、
このモード設定手段の設定が前記送受信禁止モードに切り換えられる場合に、前記無線通信手段の通信を介して前記腕装着型端末へ送受信禁止モード移行情報を送信させ、その後、前記送受信禁止モードに移行させる制御手段と、
を備えていることを特徴とする携帯電話である。
【発明の効果】
【００１３】
本発明に従うと、携帯電話がオフラインモードに移行する際に、腕装着型端末も自動的にオフラインモードと同様に電波使用が禁止された状態になるので、ユーザはその都度腕装着型端末を操作して電波を使用する機能の停止設定を行う必要がなくなるという効果がある。
【図面の簡単な説明】
【００１４】
【図１】本発明の実施の形態の携帯電話システムおよびその一部の機能を実現する外部装置とを示すシステム構成図である。
【図２】本発明の実施の形態の腕時計の内部構成を示すブロック図である。
【図３】本発明の実施の形態の携帯電話の内部構成を示すブロック図である。
【図４】携帯電話のＣＰＵにより実行される電話着信処理のフローチャートである。
【図５】携帯電話のＣＰＵにより実行されるオフラインモード・オン処理のフローチャートである。
【図６】携帯電話のＣＰＵにより実行される電波制限区域信号の受信処理のフローチャートである。
【図７】腕時計のＣＰＵにより実行される受信処理のフローチャートである。
【図８】図５と図６の表示処理に基づく表示内容の一例を示す図である。
【発明を実施するための形態】
【００１５】
以下、本発明の実施の形態を図面に基づいて説明する。
【００１６】
図１は、本発明の実施の形態の携帯電話システムとその一部の機能に寄与する外部装置とを示すシステム構成図である。また、図２には、本発明の実施の形態の腕時計の内部構成を表わしたブロック図を、図３には、本発明の実施の形態の携帯電話の内部構成を表わしたブロック図を示す。
【００１７】
図１に示すように、この実施の形態の携帯電話システム１は、無線により通話が可能な携帯電話１０と、腕装着型端末としての電子腕時計４０とから構成されるものである。携帯電話１０と腕時計４０とは、それぞれ短距離無線通信機能を有し、互いに通信リンクが確立された状態で即時のデータ通信が可能とされている。そして、この短距離無線通信機能により、携帯電話１０に通話着信又はメール着信があった際に、これらの着信を表わす電話着信データが携帯電話１０から腕時計４０に送信され、それにより腕時計４０で振動、発光点滅、ブザー音出力などの着信報知動作が実行されるようになっている。このような着信報知機能は、携帯電話１０をサイレントモードにしてカバンなどにしまっている場合に特に有用なものである。
【００１８】
また、本実施形態の携帯電話１０は、その動作モードの一つとして、無線信号の送受信を禁止する送受信禁止モードであるオフラインモードを有しており、それにより電波の使用が制限される区域等でも、無線信号の送受信を行わずに、電波を使用しない携帯電話１０の他の付加機能が利用可能にされている。また、この携帯電話１０は、電波制限区域信号発生装置６０と協働し、この信号発生装置６０から出力された電波の使用制限区域に近づいたことを示す電波制限区域信号を受信した場合に、自動的に上記のオフラインモードへ移行する機能も有している。電波制限区域信号発生装置６０は、例えば、病院など電波の使用制限区域の入り口などに設置されるものである。
【００１９】
腕時計４０は、図２に示すように、機器の全体的な制御を行うＣＰＵ（中央演算処理装置）４１と、ＣＰＵ４１が実行する制御プログラムや制御データを格納した不揮発性半導体メモリなどのＲＯＭ（Read Only Memory）４２と、ＣＰＵ４１に作業用のメモリ空間を供給するＲＡＭ（Random Access Memory）４３と、例えば腕時計本体の側面などに複数設けられた操作用のスイッチ４４と、現在時刻を計時する計時回路４５と、腕時計本体の正面部に設けられ時刻表示や種々の機能表示を行う液晶表示部４６と、液晶表示部４６を駆動する液晶ドライバ４７と、アンテナＡＮ４１を介して短距離無線通信を行うブルートゥースモジュール４８と、ブルートゥースモジュール４８を介して送受信されるデータに対してシリアル／パラレル変換等のデータ処理を行うＵＡＲＴ（Universal Asynchronous Receiver Transmitter）４９と、振動によりユーザに着信報知を行う振動モータ５０およびそのドライバ５１と、発光点滅等によりユーザに着信報知を行う発光ダイオード５２およびそのドライバ５３と、ブザー音によりユーザに着信報知を行うピエゾ素子５４およびそのドライバ５５と、ＣＰＵ４１と各部との間で信号をやり取りするバス５６等を備えている。
【００２０】
携帯電話１０は、図３に示すように、機器の全体的な制御を行うＣＰＵ１１と、ＣＰＵ１１が実行する制御プログラムや制御データを格納した不揮発性半導体メモリなどのＲＯＭ１２と、ＣＰＵ４１に作業用のメモリ空間を供給するＲＡＭ１３と、複数の操作キーを有する操作部１４と、種々の機能表示を行う液晶表示部１５およびその表示ドライバ１６と、通話時の音声入出力を行うスピーカ１７およびマイク１８と、入出力される音声信号とデジタルデータとの相互変換を行うコーデック１９と、アンテナＡＮ１１を介して基地局との間で無線信号の送受信を行うＲＦ送受信回路２０と、コーデック１９から入出力される通話音声のデジタルデータや種々の送受信データの変調および復調処理を行う通信処理回路２１と、アンテナＡＮ１２を介して短距離無線通信を行うブルートゥースモジュール２２と、ブルートゥースモジュール２２を介して送受信されるデータに対してシリアル／パラレル変換等のデータ処理を行うＵＡＲＴ２３と、振動により着信を知らせる振動モータ２４およびそのドライバ２５と、ＣＰＵ１１と各部との間で信号をやりとりするバス２８等を備えている。
【００２１】
携帯電話１０は、通話あるいは携帯電話ネットワークを介したデータ通信等を行っていない待機状態であっても、近くの基地局と所定周期で無線交信をしており、それにより、携帯電話網の中で携帯電話１０がどのエリアに存在するのかが認識されるようになっている。それにより、他の電話からこの携帯電話１０に電話がかけられた場合に、近くの基地局からこの携帯電話１０に呼び出し信号が送信されるようになっている。
【００２２】
また、携帯電話１０のブルートゥースモジュール２２と、腕時計４０のブルートゥースモジュール４８とは、両者を通信可能範囲に置いて何れか一方に接続要求が発行されることで、両者で認証処理が実行されて、通信リンクが確立するようになっている。通信リンクが確立すると、相互に即時のデータ通信が可能な状態となる。また、これらブルートゥースモジュール２２，４８を介した無線通信においても、データ通信の実行時のみ無線信号が送受信されるのではなく、データ通信が行われていない状態であっても、所定の時間間隔ごとに互いに無線信号を送受信して通信リンクが維持されていることが確認されるようになっている。
【００２３】
上述した携帯電話１０のオフラインモードにおいては、通話時やデータ通信時における携帯電話１０と基地局との無線信号の送受信のみでなく、無通話時や無通信時における携帯電話１０と基地局との無線交信も禁止されて実行されないようになっている。すなわち、携帯電話１０がオフラインモードに移行されると、携帯電話１０の全ての無線信号の送受信の機能が停止される一方、無線信号を送受信しない他の付加機能、例えば、電話帳の閲覧編集や、受信済み電子メールの閲覧等が可能とされる。
【００２４】
また、上記携帯電話１０のオフラインモードは、ＲＦ送受信回路２０による基地局との無線信号の送受信のみならず、上記のブルートゥースモジュール２２による無線信号の送受信も完全に停止させるようになっている。
【００２５】
携帯電話１０のオフラインモードへの移行や解除は、例えば、操作部１４の操作により液晶表示部１５の表示メニューを選択等することで、任意のタイミングでユーザにより選択することが可能になっている。ユーザによる操作部１４の操作によってオフラインモードが選択されると、例えば、その情報がＲＡＭ１３中のオフラインモード設定領域１３ａに書き込まれ、それにより、ＣＰＵ１１はＲＦ送受信回路２０の無線信号の送受信処理を禁止したり、ブルートゥースモジュール２２の無線信号の送受信処理を禁止したりするようになっている。また、上述のように、携帯電話１０が通常モードの状態で外部から電波制限区域を示す無線信号が入力された場合にも、この信号受信に基づきＣＰＵ１１が制御を行って、携帯電話１０の動作モードを自動的にオフラインモードに移行させるようになっている。
【００２６】
腕時計４０は、そのＣＰＵ４１の制御により、ブルートゥースモジュール４８による無線信号の送受信を完全に停止させる電波オフの機能を有している。この電波オフ機能が有効とされることにより、ブルートゥースモジュール４８の通信リンクが解除されてデータ通信が停止されるとともに、ブルートゥースモジュール４８に外部から通信相手機器を探索する探索パケットが送信されてきた場合でも、それを受信したり探索パケットに応答を返したりしないようにされる。
【００２７】
次に、上記構成の携帯電話１０と腕時計４０の動作についてフローチャートに基づき詳細に説明する。
【００２８】
図４は、携帯電話のＣＰＵにより実行される電話着信処理のフローチャートである。
【００２９】
携帯電話１０では、電話着信を受けつける通常モードにおいて、基地局から呼び出し信号を受信するとＣＰＵ１１により図４の電話着信処理が開始される。この処理が開始されると、先ず、ＣＰＵ１１は電話着信の確認を行った後（ステップＳ１）、電話着信が確認されたら、ブルートゥースモジュール２２，４８を介した短距離無線通信により腕時計４０へ電話着信データを送信する（ステップＳ２）。
【００３０】
図５は、携帯電話のＣＰＵにより実行されるオフラインモード・オン処理のフローチャートである。
【００３１】
また、携帯電話１０のＣＰＵ１１は、ユーザによる操作部１４の操作に基づいてオフラインモードへの切り換え設定がなされた場合に、図５のオフラインモード・オン処理を開始する。この処理が開始されると、先ず、ＣＰＵ１１は腕時計４０と携帯電話１０との短距離無線通信の通信リンクの有無を確認し（ステップＳ１１）、通信リンクがなされてなければブルートゥースモジュール２２に接続要求を発行して腕時計４０との短距離無線通信の通信リンクを確立させる（ステップＳ１２）。次いで、ブルートゥースモジュール２２を介した短距離無線通信によりオフラインモードに移行することを示す「電波オフデータ」を腕時計４０へ送信する（ステップＳ１３）。
【００３２】
電波オフデータを送信したら、その後、順次、ブルートゥースモジュール２２に通信リンクの解除コマンドを発行して腕時計４０との短距離無線通信を切断し（ステップＳ１４）、液晶表示部１５に腕時計４０がオフラインモードに移行したことの表示出力を行わせ（ステップＳ１５）、ＲＦ送受信回路２０とブルートゥースモジュール２２を非アクティブにして無線信号の入出力をオフ状態にする（ステップＳ１６）。これにより携帯電話１０はオフラインモードに移行する。
【００３３】
図６は、携帯電話のＣＰＵにより実行される電波制限区域信号の受信処理のフローチャートである。
【００３４】
また、携帯電話１０のＣＰＵ１１は、電話着信等が可能な通常モードにおいて、ＲＦ送受信回路２０を介して電波制限区域信号発生装置６０から電波制限区域信号を受信した場合に、図６の受信処理を開始する。この処理が開始されると、先ず、電波制限区域信号が受信されたのか確認し（ステップＳ２１）、この信号受信が確認できなければそのままこの処理を終了するが、この信号受信が確認されたら、ステップＳ２２〜Ｓ２７のオフラインモードに移行するための処理を実行して、この受信処理を終了する。ステップＳ２２〜Ｓ２７の処理は、図５のステップＳ１１〜Ｓ１６の処理と同様であり説明は省略する。
【００３５】
図７には、腕時計のＣＰＵにより実行される受信処理のフローチャートを示す。
【００３６】
腕時計４０では、そのＣＰＵ４１により短い時間間隔ごとに図７の受信処理が繰り返し実行されている。この受信処理が開始されると、先ず、ＣＰＵ４１はブルートゥースモジュール４８を介したデータ通信により、携帯電話１０から電話着信データが受信されたか判別する（ステップＳ３１）。そして、電話着信データが受信されていれば、振動モータ５０の駆動、発光ダイオード５２の点滅駆動、ピエゾ素子５４によるブザー出力駆動等により電話着信報知の動作を実行する（ステップＳ３２）。一方、電話着信データが受信されていなければ、そのまま、次のステップに移行する。
【００３７】
腕時計４０のＣＰＵ４１は、次に、ブルートゥースモジュール４８を介したデータ通信により、携帯電話１０からオフラインモードへの移行を示す「電波オフデータ」が受信されたか判別する（ステップＳ３３）。そして、「電波オフデータ」が受信されていなければ、このままこの受信処理を終了するが、電波オフデータが受信されていれば、ブルートゥースモジュール４８に通信リンクの解除コマンドを発行して携帯電話１０との短距離無線通信を切断し（ステップＳ３４）、続いて、ブルートゥースモジュール４８を非アクティブにして無線信号の送受信が行われないようにする（ステップＳ３５）。そして、この受信処理を終了する。
【００３８】
上記図４〜図７のフローチャートに示した制御処理により、着信を受け付ける通常モードの状態で携帯電話１０に通話着信やメール着信があった場合には、短距離無線通信を介して電話着信データが携帯電話１０から腕時計４０に送られ、それにより腕時計４０で着信報知動作がなされるようになっている。
【００３９】
また、携帯電話１０の操作部１４の操作あるいは携帯電話１０のＲＦ送受信回路２０を介した電波制限区域信号の受信により、携帯電話１０がオフラインモードに移行される際には、短距離無線通信を介して電波オフデータが携帯電話１０から腕時計４０に送られ、その後、携帯電話１０での無線信号の送受信が禁止されるとともに、上記の電波オフデータに基づき腕時計４０側でもブルートゥースモジュール４８による無線信号の送受信が禁止されて実行されないようにされる。また、このとき、携帯電話１０の表示部には、図８に示すように、腕時計４０がオフラインモードに移行したことを示す表示がなされるようになっている。
【００４０】
以上のように、本発明の実施の形態の携帯電話システム１によれば、携帯電話１０がオフラインモードに移行する際に、腕時計４０も自動的にオフラインモードと同様に電波使用が禁止された状態になるので、ユーザはその都度腕時計４０のスイッチ４４を操作して、電波を使用する機能の停止設定をしないで済むという効果がある。
【００４１】
また、携帯電話１０の液晶表示部１５に腕時計４０がオフラインモードに移行したことを示す表示が行われるので、例えば、ユーザが電波使用制限区域から出て、携帯電話１０のオフラインモードを解除する際に、腕時計４０のオフラインモードも解除するのを忘れないようにユーザに注意を促すことが出来る。
【００４２】
なお、本発明は、上記実施の形態に限られるものではなく、様々な変更が可能である。例えば、上記実施の形態では、短距離無線通信としてブルートゥース通信を例示したが、例えばWibree（登録商標）やZigBee（登録商標）などの各種の省電力短距離無線通信を適用することも出来るし、また、独自規格の短距離無線通信や短距離無線通信以外の他の無線通信を適用することも出来る。
【００４３】
また、腕装着型端末として電子腕時計を例示したが、時計機能を備えていないものを適用しても良い。また、携帯電話のオフラインモードとして、電波を使用する機能のみ停止させ、電波を使用しない付加機能は使用可能な動作状態を例示したが、付加機能の使用も不可となる動作状態をオフラインモードとして適用しても良い。その他、上記の実施形態で示した細部等は発明の趣旨を逸脱しない範囲で適宜変更可能である。
【符号の説明】
【００４４】
１      携帯電話システム
１０    携帯電話
１１    ＣＰＵ
１３ａ  オフラインモード設定領域（モード設定手段）
１４    操作部
１５    液晶表示部
１７    スピーカ
１８    マイク
２０    ＲＦ送受信回路（対基地局無線通信手段）
２２    ブルートゥースモジュール（第１短距離無線通信手段）
２４    振動モータ
４０    腕時計
４１    ＣＰＵ
４４    スイッチ
４５    計時回路
４６    液晶表示部
４８    ブルートゥースモジュール（第２短距離無線通信手段）
５０    振動モータ
５２    発光ダイオード
５４    ピエゾ素子
【図１】
0005527383.tif 000002
【図２】
0005527383.tif 000003
【図３】
0005527383.tif 000004
【図４】
0005527383.tif 000005
【図５】
0005527383.tif 000006
【図６】
0005527383.tif 000007
【図７】
0005527383.tif 000008
【図８】
0005527383.tif 000009